(57)【要約】【課題】セキュリティの設定を必要としない公衆無線ＬＡＮのサービスなどに設置される無線アクセスポイントは、ユーザによる複雑な操作をしなくても自動的に接続を完了し、ユーザ使用の無線通信端末と無線通信を行う【解決手段】無線アクセスポイントであって、無線通信端末との間で無線通信を行う無線通信部と、無線通信端末から無線通信に必要な所定の識別情報を取得する取得部と、所定の識別情報を含む通信フレームを前記無線通信端末に向けて送信する旨を前記無線通信部に通知する接続部と、判断部であって、少なくとも所定の識別情報と、近隣の他のすべての無線アクセスポイントが使用する識別情報とが一致するか否かを判断する、および所定の識別情報を含む通信フレームが無線通信端末に向けて送信されたあと所定の時間内に無線通信端末からの応答があるか否かを判断する判断部とを備える。【選択図】図３
2017034528.tif 000002
【特許請求の範囲】
【請求項１】
無線通信端末と接続し、ネットワークを介してデータの通信を行う無線アクセスポイントであって、
（ａ）前記無線通信端末との間で無線通信を行う無線通信部と、
（ｂ）前記無線通信端末から無線通信に必要な所定の識別情報を取得する取得部と、
（ｃ）前記所定の識別情報を含む通信フレームを前記無線通信端末に向けて送信する旨を前記無線通信部に通知する接続部と、
（ｅ）判断部であって、少なくとも
（ｅ−１）前記所定の識別情報と、近隣の他のすべての無線アクセスポイントが使用する識別情報とが一致するか否かを判断する、および
（ｅ−２）前記所定の識別情報を含む通信フレームが前記無線通信端末に向けて送信されたあと所定の時間内に前記無線通信端末からの応答があるか否かを判断する
判断部
とを備え、
前記所定の識別情報と近隣の他のすべての無線アクセスポイントが使用する識別情報とが一致せず、かつ、前記所定の時間が経過するまでに前記無線通信端末からの応答があると判断した場合、前記所定の識別情報を利用して前記無線通信端末との無線接続を完了し以後前記無線通信端末と無線通信を行う無線アクセスポイント。
【請求項２】
前記識別情報は、ＳＳＩＤであり、前記所定の識別情報は、前記無線通信端末がかつて認証および暗号化によるセキュリティの設定を必要としない通信を行った際に用いたＳＳＩＤである、請求項１記載の無線アクセスポイント。
【発明の詳細な説明】
【技術分野】
【０００１】
本発明は、無線ＬＡＮ通信システムにおける無線アクセスポイントと無線通信端末との通信に関する。
【背景技術】
【０００２】
近年、無線ＬＡＮの普及に伴い、駅、空港あるいは飲食店などに設置された無線アクセスポイント（無線中継装置とも呼ぶ）を介して無線ＬＡＮによるインターネット接続を可能とする公衆無線ＬＡＮのサービス（フリースポットなど）が、さまざまな事業者によって提供されている。利用者は、各事業者が提供する無線アクセスポイントへアクセスするために、その無線アクセスポイントの設置場所やその無線アクセスポイントに接続するための接続設定などの情報を事前に認識しておく必要がある。利用者は、事前にその無線アクセスポイントの情報を利用する端末に保存しておくことにより、実際に無線アクセスポイントに接続するときにその無線アクセスポイントの情報を参照し、インターネット接続が可能となる。
【０００３】
しかしながら、無線アクセスポイントの情報は、インターネットや広告紙などで事業者毎に別々に公開されているため、ユーザは、外出先で適宜利用できる無線アクセスポイントの情報を容易に入手することができないことも考えられる。
【０００４】
このような問題に対し、特許文献１には、複数のアクセスポイントのそれぞれへのアクセスを可能にするアクセスポイント情報を一元的に管理し、利用者から個別の条件でアクセスポイント情報を要求されると利用者に提供すべきアクセスポイントを抽出し、抽出されたアクセスポイントを含むアクセスポイント情報を提供するサーバと、サーバから提供されたアクセスポイント情報を保存しておき、保存してあるアクセスポイント情報に含まれているアクセスポイントを利用者に提示し、利用者によって選択されたアクセスポイントに接続する端末とからなる通信システムが記載されている。
【０００５】
また、無線通信端末に備えるアプリケーションには、近隣に存在する複数の無線アクセスポイントのグループ識別子ＳＳＩＤ（Service Set Identifier）を自動的に検出することにより、接続可能な無線アクセスポイントの一覧（プロファイルリスト）を生成し、このリストの中からユーザが接続した無線アクセスポイントを任意に選択できるものもある。
【０００６】
このようなアプリケーションを利用することにより、ユーザ自らが無線アクセスポイントに関する煩雑な接続操作をしなくてもユーザが過去接続した無線アクセスポイントのリストから任意に選択できる。
【先行技術文献】
【特許文献】
【０００７】
【特許文献１】特開２０１０−２７３０８６号公報
【発明の概要】
【発明が解決しようとする課題】
【０００８】
しかしながら、特許文献１に記載の通信システムは、アクセスポイント情報を一元的に管理するサーバが必要になり、コスト負荷がかかる。また、システム構築も煩雑になり、必ずしもユーザの利便性が向上しているとはいえない。
【０００９】
また、上述の無線通信端末に備えるアプリケーションを利用したとしても、接続可能である複数の無線アクセスポイントのうちどれに接続を行うのか、ユーザ自らがＳＳＩＤをもとに選択する必要があり、利便性の面でよいとは言えない。
【００１０】
例えば、無線ＬＡＮによるインターネット接続を可能とし、認証および暗号化によるセキュリティの設定を特段要求しない公衆無線ＬＡＮのサービス（フリースポットなど）であっても、ユーザがこの公衆無線ＬＡＮのサービスを利用するためには、以前ユーザが一度でも接続したことのある無線アクセスポイントや新たに無線通信端末が近隣の無線アクセスポイントを検索し取得した情報の一覧（プロファイルリスト）の中に表示されている無線アクセスポイントから、改めてどの無線アクセスポイントに接続を行うのかを判断したのち、接続のために操作を行うという手間がかかる。
【００１１】
本発明は、上述の問題を鑑みてなされたものであり、認証および暗号化によるセキュリティの設定を必要としないしない公衆無線ＬＡＮのサービス（フリースポットなど）に設置される無線アクセスポイントとユーザ使用の無線通信端末との間で無線通信を行う際に、無線通信端末が無線アクセスポイントと無線通信可能なエリア内に存在すると、ユーザによる複雑な操作をしなくても自動的に接続を完了し、無線通信を行うことができることを目的とする。
【課題を解決するための手段】
【００１２】
上記課題を解決するために、本発明の一態様に係る無線アクセスポイントは、無線通信端末と接続し、ネットワークを介してデータの通信を行う無線アクセスポイントであって、無線通信端末との間で無線通信を行う無線通信部と、無線通信端末から無線通信に必要な所定の識別情報を取得する取得部と、所定の識別情報を含む通信フレームを無線通信端末に向けて送信する旨を無線通信部に通知する接続部と、判断部であって、少なくとも所定の識別情報と、近隣の他のすべての無線アクセスポイントが使用する識別情報とが一致するか否かを判断する、および所定の識別情報を含む通信フレームが無線通信端末に向けて送信されたあと所定の時間内に無線通信端末からの応答があるか否かを判断する判断部とを備え、所定の識別情報と近隣の他のすべての無線アクセスポイントが使用する識別情報とが一致せず、かつ、所定の時間が経過するまでに無線通信端末からの応答があると判断した場合、所定の識別情報を利用して無線通信端末との無線接続を完了し以後無線通信端末と無線通信を行う。
【００１３】
さらに、識別情報は、ＳＳＩＤであり、所定の識別情報は、無線通信端末がかつて認証および暗号化によるセキュリティの設定を必要としない通信を行った際に用いたＳＳＩＤである。
【発明の効果】
【００１４】
ユーザは、以前、利用したことのある公衆無線ＬＡＮのサービス（フリースポットなど）を提供する、認証および暗号化によるセキュリティの設定を特段要求しない無線アクセスポイントに接続する際に、複雑な操作をしなくてもサービスを利用することができる。
【図面の簡単な説明】
【００１５】
【図１】本発明の実施の形態にかかるシステムの全体図である。
【図２】図１に示す無線アクセスポイントＡ１、Ａ２および無線通信端末Ｔ１のハードウェア構成図である。
【図３】本発明の実施の形態にかかる無線アクセスポイントＡ１の機能ブロック図である。
【図４】本発明の実施の形態にかかる無線アクセスポイントＡ１が無線通信端末Ｔ１との間で無線接続するまでの動作フローチャートである。
【図５ａ】無線通信端末Ｔ１が無線中継装置Ａ１と無線通信を行う前の状態を表示したプロファイルリストの表示の一例である。
【図５ｂ】無線通信端末Ｔ１が無線中継装置Ａ１と無線通信のやり取りを開始した初期の状態を表示したプロファイルリストの表示の一例である。
【発明を実施するための形態】
【００１６】
以下、実施の形態について、図面を参照しながら具体的に説明する。
【００１７】
以下の実施の形態で示される数値、構成要素、構成要素の配置位置などは、一例であり、発明の範囲内において種々の変形や変更が可能である。
【００１８】
（実施の形態）
図１は本発明の実施の形態にかかるシステムの全体図である。
【００１９】
図１に示すとおり、特定エリア１００は、公衆無線ＬＡＮのサービス（フリースポットなど）を提供する駅、空港あるいは飲食店などであり、エリア内にＬＡＮ１０、無線アクセスポイントＡ１およびＡ２を備えている。特定のエリア１００の内部では、無線アクセスポイントＡ１およびＡ２を介して無線ＬＡＮによるインターネット接続を可能とする。また、無線アクセスポイントＡ１およびＡ２は、有線通信インタフェースおよび無線通信インタフェースを備える。以下に説明する本発明の実施の形態では、無線アクセスポイントＡ１に本発明が実現されている。無線アクセスポイントＡ２は、無線アクセスポイントＡ１と同じ特定エリアに存在している近隣の無線アクセスポイントであり、図１ではＡ１と同じＬＡＮ１０に接続されているが、これ以外のネットワークに接続されていてもよい。無線通信端末Ｔ１は、無線通信インタフェースを備えるものであり、例えばノートＰＣ、タブレット、スマートフォン等である。なお、無線通信は、例えばＩＥＥＥ８０２．１１規格などに適合する無線ＬＡＮにより実現される。無線アクセスポイントＡ１は、ＬＡＮ１０に接続されている。ここで、ＬＡＮ１０は、有線ＬＡＮ、無線ＬＡＮのどちらでもかまわないが、セキュリティ面からより好ましくは有線ＬＡＮが考えられる。本発明の実施の形態では有線ＬＡＮとして説明する。また、本発明の実施の形態では、無線通信端末は１台で説明するが、無線アクセスポイント1台に複数台の無線通信端末が接続していてもよい。
【００２０】
図２は、図１に示した無線アクセスポイントＡ１、Ａ２および無線通信端末Ｔ１のハードウェア構成図である。これらの装置は備えている通信インタフェースの構成が異なること以外は、その他のハードウェア構成は同じである。例えば、無線アクセスポイントＡ１およびＡ２は有線、無線通信インタフェースの両方を備えているが、無線通信端末Ｔ１は無線インタフェースのみを備えているなどである。
【００２１】
図２に示すとおり、これらの装置は、ＣＰＵ（Ｃｅｎｔｒａｌ  Ｐｒｏｃｅｓｓｉｎｇ  Ｕｎｉｔ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、記憶装置２３、ＷＮＩＣ（Ｗｉｒｅｌｅｓｓ  Ｎｅｔｗｏｒｋ  Ｉｎｔｅｒｆａｃｅ  Ｃａｒｄ）２４、ＮＩＣ（Ｎｅｔｗｏｒｋ  Ｉｎｔｅｒｆａｃｅ  Ｃａｒｄ）２５および各構成部品間を接続している内部バス２６などを備えている。
【００２２】
ＣＰＵ２０は、ＲＯＭ２１に格納された制御プログラムを実行するプロセッサである。
【００２３】
ＲＯＭ２１は、制御プログラム等を保持する読み出し専用記憶領域である。
【００２４】
ＲＡＭ２２は、ＣＰＵ２０が制御プログラムを実行するときに使用するワークエリアとして用いられる記憶領域である。
【００２５】
記憶装置２３は、制御プログラム、制御情報、装置情報、または認証情報などを記憶する記憶領域である。
【００２６】
ＷＮＩＣ２４は、無線通信を行う無線通信インタフェースを備えている。例えば、ＩＥＥＥ８０２．１１ａ、ｂ、ｇ、ｎ、ａｃ規格等に適合する無線ＬＡＮの通信インタフェースである。
【００２７】
ＮＩＣ２５は、有線通信を行う有線通信インタフェースを備えている。例えば、ＩＥＥＥ８０２．３規格等に適合する有線ＬＡＮの通信インタフェースである。
【００２８】
内部バス２６は、ＣＰＵ２０，ＲＯＭ２１、ＲＡＭ２２、記憶装置２３、ＷＮＩＣ２４、ＮＩＣ２５を電気的に接続し、信号のやりとりを行うバスである。
【００２９】
図３は、本発明の実施の形態にかかる無線アクセスポイントＡ１の機能ブロック図である。
【００３０】
図３に示す無線アクセスポイントＡ１は、無線通信部３０、取得部３１、情報記憶部３２、接続部３３、判断部３４、カウント部３５などを備えている。
【００３１】
以下に各機能について、図３を用いて説明する。
【００３２】
無線通信部３０は、無線通信端末Ｔ１との間でデータフレーム、種々の制御情報その他の通信を行うために必要な情報などを送受信する。無線通信部３０は、ＣＰＵ２０、ＲＯＭ２１、ＲＡＭ２２、記憶装置２３、ＷＮＩＣ２４などにより実現される。
【００３３】
取得部３１は、無線通信端末Ｔ１が送信するプローブリクエストを、無線通信部３０を介して受信し、そのプローブリクエストからＳＳＩＤ（Ｓｅｒｖｉｃｅ  Ｓｅｔ  Ｉｎｄｅｎｔｉｆｉｅｒ）を取得し、情報記憶部３２へ通知する。また、取得部３１は、近隣の他の無線アクセスポイント（例えば図１における無線アクセスポイントＡ２）がビーコンフレームに含めて適宜発信する、近隣の無線アクセスポイント自身の情報（例えば、ＳＳＩＤ、受信電波強度など）を無線通信部３０を介して取得し、情報記憶部３２へ通知する。取得部３１は、ＣＰＵ２０、ＲＯＭ２１、ＲＡＭ２２、記憶装置２３などにより実現される。
【００３４】
情報記憶部３２は、取得部３１が無線通信端末Ｔ１からのプローブリクエストにおいて取得したＳＳＩＤを記憶し、判断部３４の通知を受けて、接続部３３へ通知する。また、情報記憶部３２は、取得部３１が取得した近隣の無線アクセスポイントの情報を記憶する。
【００３５】
さらに、情報記憶部３２は、判断部３４で利用されるタイムアウト時間（例えば、１分など）を格納できる。このタイムアウト時間は、後で詳細に説明するが、接続部３３からビーコンフレームが発信された後、無線通信端末Ｔ１からの応答があるまでの時間（図４参照）と比較される時間である。タイムアウト時間は、工場出荷時に予め設定されていても、ユーザが専用ツールなどを利用して設定してもよい。情報記憶部３２は、ＣＰＵ２０、ＲＯＭ２１、ＲＡＭ２２、または記憶装置２３などにより実現される。
【００３６】
接続部３３は、判断部３４の判断にもとづき、無線通信部３０を介してビーコンフレームを送信する。そのビーコンフレームには、無線通信端末Ｔ１のプローブリクエストから取得したＳＳＩＤのうち利用可能と判断されたＳＳＩＤが含まれている。接続部３３は、ＣＰＵ２０、ＲＯＭ２１、ＲＡＭ２２、または記憶装置２３などにより実現される。
【００３７】
判断部３４は、無線通信部３０を介して、（１）無線通信端末Ｔ１からプローブリクエストを受信したか否か、（２）情報記憶部３２に記憶されている無線通信端末Ｔ１のプローブリクエストから取得したＳＳＩＤと情報記憶部３２に記憶されている近隣の無線アクセスポイントの情報（特にＳＳＩＤ）とを比較し、無線アクセスポイントが無線通信端末Ｔ１と無線接続するために送信するビーコンフレームに含めるＳＳＩＤが、近隣の他の無線アクセスポイントと他の無線通信端末との間の無線通信のために使用されているものと一致するか否か、（３）接続部３３からビーコンフレームが発信された後、近隣の無線通信端末からの応答があるか否か、（４）近隣の無線通信端末からの応答があるまでの経過時間（カウント部３５から随時、通知される）が、タイムアウト時間を経過した後か前か、などを判断する。判断部３４は、ＣＰＵ２０、ＲＯＭ２１、ＲＡＭ２２、または記憶装置２３などにより実現される。
【００３８】
カウント部３５は、接続部３３からビーコンフレームが発信された直後からの経過時間をカウントし、これを随時、判断部３４へ通知する。カウント部３５は、ＣＰＵ２０、ＲＯＭ２１、ＲＡＭ２２、または記憶装置２３などにより実現される。
【００３９】
図４では、本発明の実施の形態にかかる無線アクセスポイントＡ１につき、無線通信端末Ｔ１が特定エリア１００の内に移動し、無線アクセスポイントＡ１との間で無線接続するまでの動作フローチャートを示している。
【００４０】
図４を参照しながら、本発明の実施の形態にかかる無線アクセスポイントＡ１の動作について順をおって説明する。
【００４１】
ステップＳ４０にて、無線アクセスポイントＡ１の判断部３４は、無線通信端末Ｔ１からプローブリクエストを受信したか否かを判断する。受信した場合は、ステップＳ４１に遷移する（ステップＳ４０のＹｅｓ）。受信しない場合は、ステップＳ４０を繰り返す（ステップＳ４０のＮｏ）。このとき、特定エリア１００の内に移動してきた無線通信端末Ｔ１は、特定エリア１００に存在する無線アクセスポイントを検索する。この際に無線通信端末Ｔ１は、格納しているプロファイルリストの中の無線アクセスポイントの情報（すなわち、過去に検索・接続した無線アクセスポイントの情報）をプローブリクエストに含めて、無線アクセスポイントＡ１に向けて送信する。
【００４２】
ステップＳ４１にて、無線アクセスポイントＡ１の取得部３１は、無線通信端末Ｔ１から受信したプローブリクエストの無線フレームを解析し、当該プローブリクエストに含まれるＳＳＩＤを取得し、情報記憶部３３に格納する。
【００４３】
ステップＳ４２にて、無線アクセスポイントＡ１の判断部３４は、ステップＳ４１で取得したＳＳＩＤと情報記憶部３２に記憶されている近隣の無線アクセスポイントの情報（特にＳＳＩＤ）とを比較し、ステップＳ４１で取得したＳＳＩＤが自身の近隣に存在する無線アクセスポイントにより使用されているか否かを判断する。使用している場合は、次のＳＳＩＤ（無線通信端末Ｔ１から得られる次のＳＳＩＤ）についてステップＳ４０を繰り返す（ステップＳ４２のＹｅｓ）。使用していない場合は、ステップＳ４３に遷移する（ステップＳ４２のＮｏ）。
【００４４】
ステップＳ４３にて、無線アクセスポイントＡ１の無線通信部４１は、ステップＳ４１で取得したＳＳＩＤを自分のビーコンフレームに含める自身のＳＳＩＤとして、近隣の無線通信端末や無線アクセスポイントに向けて発信（ブロードキャスト送信）する。
【００４５】
ステップＳ４４にて、無線アクセスポイントＡ１は、ステップＳ４４の直後からカウンタ部３５で経過時間のカウントを開始する。
【００４６】
ステップＳ４５にて、無線アクセスポイントＡ１の判断部３４は、カウンタ部３５によりカウントされる経過時間がタイムアウト時間に達したか否かを判断する。タイムアウト時間に達した場合は、処理を終了し、次のＳＳＩＤ（無線通信端末Ｔ１から得た次のＳＳＩＤ）についてステップＳ４０に戻って実行する（ステップＳ４５のＹｅｓ）。タイムアウト時間に達していない場合は、ステップＳ４６に遷移する（ステップＳ４５のＮｏ）。ここで、タイムアウト時間は先にも述べたとおり、工場出荷時に予め設定（例えば、１分など）されていてもよいし、ユーザが専用ツールなどを利用して自由に設定できてもよい。
【００４７】
ステップＳ４６にて、無線アクセスポイントＡ１は、自分がブロードキャスト送信したビーコンフレームに対し近隣の無線通信端末（例ではＴ１）からの応答があるか否かを判断する。応答がある場合は、ステップＳ４７に遷移する（ステップＳ４６のＹｅｓ）。応答がない場合は、ステップＳ４５に戻る（ステップＳ４６のＮｏ）。
【００４８】
ステップＳ４６で、応答がない場合には、近隣の無線通信端末（例ではＴ１）が、自身に存在するプロファイルリストに格納された無線アクセスポイント（すなわち、無線通信端末が以前に通信を行ったことがある無線アクセスポイント）のプロファイル情報に認証方式や暗号化方式の設定がされており、ステップＳ４３で取得したＳＳＩＤを含めたビーコンフレームを受信したとしても、応答を返さない場合も含まれる。
【００４９】
つまり、本発明の実施の形態では、無線アクセスポイントが、特定エリア１００のエリア外からエリア内に移動してきた無線通信端末と無線接続を行うため、その無線通信端末に格納されているプロファイルリスト内の任意のアクセスポイントのプロファイルを利用して、当該任意の無線アクセスポイントに成りすますことにより、ユーザが無線接続のための操作をすることなく、無線アクセスポイントと近隣の無線通信端末との間で無線接続を行う。ただし、近隣の無線通信端末に格納しているプロファイルリスト内の特定のアクセスポイントのプロファイルにおいて認証や暗号化処理を行う設定になっている場合は、ＳＳＩＤの情報のみでは、任意の無線アクセスポイントに成りすますことができないので、これを所定の時間（タイムアウト時間）内で応答があるかないかで確認する訳である。
【００５０】
ステップＳ４７にて、無線アクセスポイントＡ１は、ステップＳ４４にて行われた近隣の無線通信端末Ｔ１からの応答があることで、無線通信端末Ｔ１と無線接続を開始する。
【００５１】
図５（ａ）および図（ｂ）は、無線通信端末Ｔ１が格納しているプロファイルリストのそれぞれの状況下における表示の一例である。
【００５２】
図５（ａ）は、無線通信端末Ｔ１が無線中継装置Ａ１と無線通信を行う前の状態を表示したプロファイルリストの表示の一例である。
図５（ｂ）は、無線通信端末Ｔ１が無線中継装置Ａ１と無線通信のやり取りを開始した初期の状態を表示したプロファイルリストの表示の一例である。
【００５３】
ここでプロファイルリストの情報には、無線通信端末Ｔ１が以前、無線通信を行ったことのある無線アクセスポイントのＳＳＩＤ（ＳＳＩＤ１、ＳＳＩＤ２、ＳＳＩＤ３、ＳＳＩＤ４など）、認証方式、および暗号化方式などの情報が含まれ、これらは無線通信端末Ｔ１の記憶装置（図示しない）内に格納されている。
【００５４】
図５（ａ）に表示している情報は、以前、無線通信端末Ｔ１が無線通信を行った無線アクセスポイント（本例では、ＳＳＩＤ１、ＳＳＩＤ２、ＳＳＩＤ３、ＳＳＩＤ４）の無線通信するために必要な情報をプロファイルリストに格納しているうちのＳＳＩＤ名をユーザが視認できる情報として表示されている。
【００５５】
ここで、図５（ａ）に表示しているＳＳＩＤ２は、無線通信端末Ｔ１が以前利用したことのある公衆無線ＬＡＮのサービスを提供する、認証および暗号化によるセキュリティの設定を特段要求しないもので、無線通信端末Ｔ１のプロファイルリストに格納されているＳＳＩＤである。
【００５６】
無線通信端末Ｔ１が特定エリア１００に移動してきたとき、無線通信端末Ｔ１の無線通信部（図示しない）は、近隣の無線アクセスポイントＡ１と無線通信のやり取りを試行するために、ＳＳＩＤ１からＳＳＩＤ４まで順に各々のＳＳＩＤを含んだプローブリクエストを無線アクセスポイントＡ１に送信する。
【００５７】
つぎに、本発明の実施の形態にかかる無線アクセスポイントＡ１は、無線通信端末Ｔ１から無線通信端末Ｔ１のプロファイル情報に格納されたＳＳＩＤを含めて送信されるプローブリクエストを受信する。そして、無線アクセスポイントＡＰ１は、無線通信端末Ｔ１から受信したプローブリクエストから取得したＳＳＩＤを利用し、無線通信端末Ｔ１のプロファイル情報（本例では、ＳＳＩＤ１、ＳＳＩＤ２、ＳＳＩＤ３およびＳＳＩＤ４）のうち、どのＳＳＩＤのプロファイル情報が利用できるかを判断するため、図４に示すステップＳ４０からステップＳ４５までの一連のステップをＳＳＩＤ１、ＳＳＩＤ２、ＳＳＩＤ３およびＳＳＩＤ４について順次行う。
【００５８】
図５（ｂ）に表示している情報は、無線通信端末Ｔ１が無線アクセスポイントＡ１などからの応答を受けて、ＳＳＩＤ名と共に接続の有無や受信電波強度を基に黒塗り表示で強弱をＳＳＩＤごとにユーザが視認できる情報として表示されている。
【００５９】
図５（ｂ）の一例では、ＳＳＩＤ１は近隣の他の無線アクセスポイントが使用していたため使用しない。無線アクセスポイントＡ１は、ＳＳＩＤ２と無線接続が可能であることからＳＳＩＤ２のＳＳＩＤを利用してＳＳＩＤ名２の無線アクセスポイントに成りすまし、無線通信端末Ｔ１と無線通信を行っている。ＳＳＩＤ３とＳＳＩＤ４は、特定エリア１００では使用されていないので、「圏外」として表示される。このＳＳＩＤ２の情報を用いることで、無線通信端末Ｔ１は、無線アクセスポイントＡ１と無線接続を行うことが可能になる。
【００６０】
つまり、図４のステップＳ４０からステップＳ４６の一連の処理により、無線アクセスポイントＡ１が、無線通信端末Ｔ１のプローブリクエストに含まれるＳＳＩＤ２を知ることで、自身が近隣の無線通信端末へ応答するビーコンフレームにＳＳＩＤ２を含めて送信する（ＳＳＩＤ２の無線アクセスポイントとして成りすます）。無線通信端末Ｔ１は、無線アクセスポイントＡ１からのこの応答を受けて、無線アクセスポイントＡ１を無線接続可能な無線アクセスポイントとして認識し、無線アクセスポイントＡ１との間で無線接続を行うのである。
【００６１】
このような無線アクセスポイントＡ１に備えられた本発明にかかる機能および動作により、無線通信端末Ｔ１が特定エリア１００内に移動すると、無線通信端末Ｔ１のユーザは、無線通信端末Ｔ１を操作する事なく、自動的に無線通信端末Ｔ１と無線アクセスポイントＡ１の無線接続が完了され、無線通信を行うことができるのである。
【産業上の利用可能性】
【００６２】
ＳＳＩＤを知ることで無線通信を利用できる特定エリアの無線ＬＡＮ通信サービスにおいて、有用である。
【符号の説明】
【００６３】
Ａ１、Ａ２  無線アクセスポイント
Ｔ１  無線通信端末
Ｒ１  無線通信経路
１０  有線ＬＡＮ
１００  特定エリア
２０  ＣＰＵ
２１  ＲＯＭ
２２  ＲＡＭ
２３  記憶装置
２４  ＷＮＩＣ
２５  ＮＩＣ
２６  内部バス
３０  無線通信部
３１  取得部
３２  情報記憶部
３３  接続部
３４  判断部
３５  カウント部
【図１】
2017034528.tif 000003
【図２】
2017034528.tif 000004
【図３】
2017034528.tif 000005
【図４】
2017034528.tif 000006
【図５ａ】
2017034528.tif 000007
【図５ｂ】
2017034528.tif 000008